(57)【要約】【課題】  （２の累乗＋１）のγ補正データを、２の累乗個の記憶容量を持つメモリデバイスに収容し得るγ補正データの記憶方法を提供する。【解決手段】  １ＷＯＲＤ分のデータを１記憶領域に記憶し得る２n 個の記憶領域（ｍ１、……、ｍ６４）を持つ記憶装置１１を備え、この記憶装置１１に記憶する２n ＋１個のγ補正データ（Ｄ０、Ｄ１、……、Ｄ６４）のうち、下位の第１位と第２位のγ補正データＤ０、Ｄ１を、それぞれ半ＷＯＲＤ分として第１の記憶領域ｍ１に併せて記憶し、第３位から第２n 位＋１位までのデータＤ３、……、Ｄ６４を第２番目の記憶領域ｍ２から第２n 番目の記憶領域ｍ６４に、順次対応させて個別に記憶する。【選択図】      図３
2006115270.tif 000002
【特許請求の範囲】
【請求項１】
２n ＋１個のγ補正データを、２n 個の記憶領域を持つ記憶手段に記憶するγ補正データの記憶方法であって、
下位の第１位と第２位のγ補正データを第１の記憶領域に併せて記憶し、第３位から２n ＋１位までのγ補正データを第２番目から第２n 番目までの記憶領域に対応させて記憶するようにしたことを特徴とするγ補正データの記憶方法。
【請求項２】
２n 個の記憶領域を持ち、これらの記憶領域に２n ＋１個のγ補正データを記憶するγ補正データ記憶装置であって、
第１番目の記憶領域に、下位の第１位と第２位のγ補正データを併せて記憶し、第２番目の記憶領域から第２n 番目までの記憶領域に、第３位から第２n ＋１位までのγ補正データを個別に記憶することを特徴とするγ補正データの記憶装置。
【発明の詳細な説明】
【技術分野】
【０００１】
この発明は、ファクシミリ装置、複写機、ファクシミリ機能・複写機能等の多機能を有する画像形成装置で使用するγ補正データの記憶方法、及びγ補正データの記憶装置に関する。
【背景技術】
【０００２】
ファクシミリ装置などの画像形成装置では、スキャナなどの画像読取手段の特性がリニアでないと、色、濃度を精度良く再現できないので、再現精度を上げるために、γ（ガンマ）補正を行うようにしている。
【０００３】
γ補正データは、図５に示すように、テスト用のチャートの異なる多段階の白黒濃度の入力に対して、画像読取手段で実読み取りした値は理想とするリニア特性ａではなく、例えばｂに示す特性となるので、実読み取り特性ｂからリニア特性ａを差し引いた特性ｃの各値をγ補正データとして記憶しておき、ユーザが装置で画像読み取りする際に、実読み取り値からγ補正データを減算してγ補正処理を行うようにしている（例えば、特許文献１参照）。
【特許文献１】特開平６−２２１４０号公報
【発明の開示】
【発明が解決しようとする課題】
【０００４】
上記したγ補正処理を行い、より画像の再現性を確保するためには、γ補正データを機台毎に作成し、ＥＥＰＲＯＭなどの不揮発性メモリに保存しておくことが望ましいが、この場合、十分な容量のメモリデバイスを実装しておく必要があった。
【０００５】
ところで、一般に市販の既成のＥＥＰＲＯＭなどの書き込み可能なデバイスは２の累乗（２n ）の容量であることが多いが、補間機能を使うデータサイズは２の累乗＋１となることが多い。そのため、ＥＥＰＲＯＭで記憶できるデータサイズより、γ補正データを記憶するためのデータサイズの方がわずかなところでワンサイズ容量の大きなデバイスを用いることになり、コストアップになるという問題があった。
【０００６】
この発明は上記問題点に着目してなされたものであって、（２の累乗＋１）の容量のγ補正データを２の累乗のメモリデバイスに収容して得るγ補正データの記憶方法、及びγ補正データの記憶装置を提供することを目的としている。
【課題を解決するための手段】
【０００７】
この発明のγ補正データの記憶方法は、２n ＋１個のγ補正データを、２n 個の記憶領域を持つ記憶手段に記憶するγ補正データの記憶方法であって、下位の第１位と第２位のγ補正データを第１の記憶領域に併せて記憶し、第３位から２n ＋１位までのγ補正データを第２番目から第２n 番目までの記憶領域に対応させて記憶することを特徴とする。
【０００８】
また、この発明のγ補正データの記憶装置は、２n 個の記憶領域を持ち、これらの記憶領域に２n ＋１個のγ補正データを記憶するγ補正データ記憶装置であって、第１番目の記憶領域に、下位の第１位と第２位のγ補正データを併せて記憶し、第２番目の記憶領域から第２n 番目までの記憶領域に、第３位から第２n ＋１位までのγ補正データを個別に記憶することを特徴とする。
【発明の効果】
【０００９】
この発明によれば、２n 個の記憶領域を持つ記憶装置に２n ＋１個のγ補正データを記憶するために、下位の第１位と第２位のγ補正データを併せて第１番目の記憶領域に記憶し、第２番目の記憶領域から第２番目までの記憶領域に第３位から第２n ＋１までのγ補正データを個別に記憶するので、記憶装置の個数を増加することなく、２n ＋１個のγ補正データを記憶することができる。
【発明を実施するための最良の形態】
【００１０】
以下、実施の形態により、この発明をさらに詳細に説明する。図１はこの発明の画像形成装置の一実施形態であるファクシミリ装置の構成を示すブロック図である。
【００１１】
この実施形態ファクシミリ装置は、図１に示すように、ＮＣＵ１と、ＭＯＤＥＭ２と、ＲＯＭ３と、ＲＡＭ４と、画像メモリ５と、ＭＰＵ６と、表示部７と、操作部８と、ＣＣＤスキャナ９と、画像処理回路１０と、ＥＥＰＲＯＭ１１と、ＣＯＤＥＣ１２と、プリンタ１３と、バス１４とを備えている。
【００１２】
ＮＣＵ１は、電話回線１５との接続を制御するとともに、相手先の電話番号（＝対応したダイヤル信号）の送出機能、及び着信を検出するための機能を備えている。ＭＯＤＥＭ２は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。ＲＯＭ３は装置全体を制御するためのプログラムを記憶する。
【００１３】
ＲＡＭ４は、ファクシミリ装置に関する各種情報を一時的に記憶する。画像メモリ５は受信画像データやＣＣＤスキャナ９で読み取られた画像データを一時的に記憶する。ＭＰＵ６は、ＲＯＭ３に記憶されたプログラムに従い、装置を構成する各部を制御する。表示部７は、装置からオペレータへの伝達情報等を表示する。操作部８は、テンキー、ＦＡＸキー、ＣＯＰＹキー、スタートキー、ワンタッチキー等の操作スイッチを有する。ＣＣＤスキャナ９は原稿をスキャンして、原稿画像を読み取る。
【００１４】
画像処理回路１０はＣＣＤスキャナ９で読み取った画像データを画像処理する。具体的には、シェーディング補正、γ補正、２値化等の処理を行う。この画像処理回路１０は、ガンマ補正テーブルを記憶するガンマ補正テーブルメモリ１０ａを有する。ＥＥＰＲＯＭ（不揮発性メモリ）１１は、機台個別に調整されたγ補正データを記憶している。ＥＥＰＲＯＭ１１は、ここでは図２に示すように６４ＷＯＲＤ×４＝２５６ＷＯＲＤ（１ＷＯＲＤ：１６ｂｉｔ）の容量を有し、Ｒ（赤）、Ｇ（緑）、Ｂ（青）及びＹ（多値モノクロ）の４つ分のγ補正データが、それぞれ各６４ＷＯＲＤ分の記憶領域にＭY 、ＭR 、ＭG 、ＭB に記憶されている。
【００１５】
４つ分のγ補正データのうち、Ｙ（多値モノクロ）用の記憶領域ＭY における６４ＷＯＲＤ分の記憶例を図３に示す。Ｙ用のγ補正データ６５ＷＯＲＤ分のデータＤ０、Ｄ１、……、Ｄ６４のうち、もっとも下位の第１のデータＤ０と、第２位のデータＤ１が、Ｙ用の記憶領域ＭY の第１番目の記憶領域ｍ１に記憶している。それより上位の第３位から第６４位までのγ補正データＤ２〜Ｄ６４は、第２番目の記憶領域ｍ２から第６４番目の記憶領域ｍ６４に対応して、１ＷＯＲＤ分ずつ記憶されている。
【００１６】
γ補正データは通常、単調増加（単調変化）であり、通常のスキャナで下位の２箇所はデータの取り得る範囲の半分（１６ビットなら８ビット）を超えることが普通ないから、下位２か所のデータをまとめて、第１の記憶領域ｍ１に保持するようにしている。このようにすることにより、２n 個の記憶領域を持つメモリデバイスに２n ＋１のデータを収納できる。他のＲ、Ｇ、Ｂ用のγ補正データも全く同様である。
【００１７】
ＣＯＤＥＣ１２は、送信すべき画データを符号化し、また受信した画像データを復号する。プリンタ１３は、電子写真式のプリンタよりなり、受信画像データやコピー動作において、ＣＣＤスキャナ９で読み取られた原稿の画像データを記録紙上に記録する。
【００１８】
次に、この実施形態ファクシミリ装置において、ユーザが例えばコピーのためにＣＣＤスキャナ９で読み取った原稿画像につき、画像読取処理部１０でγ補正データをＥＥＰＲＯＭ１１から読み出し、２n ＋１＝６５ＷＯＲＤ分のデータを得る場合の処理を、図４に示すフロー図を参照して説明する。
【００１９】
この処理ルーチンに入ると、先ずＹ用のγ補正データを得る。ステップＳＴ１において、変数ｉを１とする。この変数ｉは、記憶領域ｍ１〜ｍ６４の順位を示す変数である。続いて、ステップＳＴ２へ移行する。ステップＳＴ２においては、ｉ＝１か否か判定する。スタート時はｉ＝１であるから、判定ＹＥＳで、ステップＳＴ３へ移行する。一方、後述のように、ｉ＝１でない場合は、判定ＮＯなので、ステップＳＴ５へ移行する。
【００２０】
ステップＳＴ３においては、図３に示す記憶データのうち、第１の記憶領域ｍ１に記憶されているデータＤ０、データＤ１を読み出す。このデータＤ０、Ｄ１は、Ｙ用のγ補正データとして記憶してある６５ＷＯＲＤ分のうち、下位から第１位、第２位のγ補正データである。次に、ステップＳＴ４へ移行する。ステップＳＴ４においては、第１位の記憶領域ｍ１から読み出したデータを８ビットずつ、つまりデータＤ０とデータＤ１に分離して、それぞれ１個のデータとして独立させる。続いて、ステップＳＴ５へ移行する。
【００２１】
ステップＳＴ５においては、変数ｉを１インクリメントする。スタート時ではｉ＝１からｉ＝２となる。次に、ステップＳＴ６へ位する。ステップＳＴ６においては、データＤ２を読み出す。スタート時で、ｉ＝２となっている場合は、図３の記憶領域ｍｉ、つまりｍ２（第２番目の記憶領域）のデータＤ２を読み出す。続いて、ステップＳＴ７へ移行する。ステップＳＴ７においては、ｉ＝６４か否かを判定する。変数ｉが６４に達していない場合は、ステップＳＴ２へ戻る。一方、変数ｉが６４に達した場合は、図３に示す記憶領域ｍ１〜ｍ６４の全てのデータの読み出しを終了したことになり、リターンする。
【００２２】
ｉ＝２となって、ステップＳＴ２へ戻った場合、このステップＳＴ２における再度の変数ｉ＝１か、の判定がＮＯであり、ステップＳＴ３、ＳＴ４の処理をスキップして、ステップＳＴ５へ移行する。ステップＳＴ５においては、再度変数ｉを１インクリメントする。ここではｉ＝３となる。そして、ステップＳＴ６へ移行する。ステップＳＴ６においては、記憶領域ｍ３のγ補正データＤ３を読み出す。そして、再々度、ステップＳＴ２へ戻る。
【００２３】
以後、変数ｉ＝６４となるまで、ステップＳＴ２〜ＳＴ６の処理を繰り返し、記憶領域ｍ４からｍ６４までに記憶されるγ補正データＤ４、……、Ｄ６４を順次読み出す。全てのγ補正データの読み出しを終了すると、次にＲの６５ＷＯＲＤ分、Ｇの６５ＷＯＲＤ分、Ｂの６５ＷＯＲＤ分と順次読み出すことになる。その処理はＹの場合と同様なので、説明を省略する。
【００２４】
なお、上記実施形態においては、ＥＥＰＲＯＭ１１に記憶されるγ補正データとして、Ｙ（モノクロ）用の他、Ｒ、Ｇ、Ｂ用のγ補正データデータも記憶される場合を想定しているが、この発明は画像が白黒の場合のみにも適用できる。
【図面の簡単な説明】
【００２５】
【図１】この発明が実施されるファクシミリ装置の構成を示すブロック図である。
【図２】この実施形態ファクシミリ装置において、γ補正データを記憶するＥＥＰＲＯＭの容量サイズを説明する図である。
【図３】同ＥＥＰＲＯＭの容量のうち、Ｙ（モノクロ）用の６５ＷＯＲＤ分の記憶領域を示す図である。
【図４】同実施形態ファクシミリ装置における同Ｙ用の６５ＷＯＲＤ分の記憶領域のγ補正データの読み取り処理を説明するためのフロー図である。
【図５】一般的なスキャナの特性とγ補正データを説明するための特性図である。
【符号の説明】
【００２６】
１        ＮＣＵ
２        ＭＯＤＥＭ
３        ＲＯＭ
４        ＲＡＭ
５        画像メモリ
６        ＭＰＵ
７        表示部
８        操作部
９        ＣＣＤスキャナ
１０      画像処理回路
１０ａ    γ補正テーブル
１１      ＥＥＰＲＯＭ
１２      ＣＯＤＥＣ
１３      プリンタ
１４      バス
【図１】
2006115270.tif 000003
【図２】
2006115270.tif 000004
【図３】
2006115270.tif 000005
【図４】
2006115270.tif 000006
【図５】
2006115270.tif 000007